(57)【要約】  本発明は、磁気共鳴撮像システム１０２を含む医療機器１００、３００、４００、５００を提供する。該医療機器は、撮像ゾーン１０８内で被検体の少なくとも一部を支持するように構成された支持面１２１を有する被検体支持体１２０をさらに備える。該被検体支持体は、支持面の下に埋め込まれたレーダアレイ１２５を備える。該医療機器は、被検体からレーダ信号１４４を取得するためのレーダシステム１２４をさらに備える。該医療機器は、動き信号１４６を取得するように構成された動き検出システム１２２をさらに備える。機械実行可能命令１４０の実行はプロセッサ１３０に、連続的にレーダ信号を受信させ（２００）、連続的に動き信号を受信させ（２０２）、連続的にレーダ信号および動き信号から合成運動信号１４８を計算させ（２０４）、パルスシーケンスコマンドを用いて磁気共鳴撮像システムを制御して磁気共鳴撮像データを取得させ（２０６）、該磁気共鳴撮像データの取得は上記合成運動信号を用いて制御される。
2021520251.tif 000002
【特許請求の範囲】
【請求項１】
撮像ゾーンから磁気共鳴撮像データを取得するための磁気共鳴撮像システムを備える医療機器であって、前記医療機器はさらに：
前記撮像ゾーン内で被検体の少なくとも一部を支持する被検体支持体であって、該被検体支持体は被検体を受け入れるための支持面を含み、該被検体支持体が、特に前記支持面の下に埋め込まれたレーダアレイを含む被検体支持体と；
前記被検体からレーダ信号を取得するためのレーダシステムであって、前記レーダアレイを含むレーダシステムと；
前記被検者から動き信号を取得する動き検出システムと；
機械実行可能命令およびパルスシーケンスコマンドを記憶するためのメモリと；
当該医療機器を制御するためのプロセッサと；
を有し、前記機械実行可能命令の実行は前記プロセッサに：
連続的に前記レーダシステムから前記レーダ信号を受信させ；
連続的に前記動き検出システムから前記動き信号を受信させ；
連続的に前記レーダシステム及び前記動き信号から合成運動信号を計算させ；及び
前記パルスシーケンスコマンドを用いて前記磁気共鳴撮像システムを制御して、前記磁気共鳴撮像データを取得させ、ここで、該磁気共鳴撮像データの取得が前記合成運動信号を用いて制御されるようにする；
医療機器。
【請求項２】
前記合成運動信号が、心臓位相動き信号、呼吸位相動き信号、自発動き信号、およびこれらの組み合わせのうちのいずれか１つを含む、請求項１に記載の医療機器。
【請求項３】
前記合成運動信号が：
前記レーダ信号を前記動き信号と相互相関させて、類似の信号を識別すると共に偽信号を排除する動作；
前記レーダ信号と前記動き信号とが一致する場合を決定するために前記レーダ信号を前記動き信号と乗算する動作；及び
補正位相シフトを使用して前記レーダ信号と前記動き信号とを加算する動作；
のいずれか１つの動作によって計算される、請求項２に記載の医療機器。
【請求項４】
前記合成運動信号が、機械学習アルゴリズムを使用して連続的に計算される、請求項３に記載の医療機器。
【請求項５】
前記機械実行可能命令の実行が前記プロセッサに、さらに：
前記レーダシステムから予備レーダ信号を受信させ；
前記動き検出システムから予備動き信号を受信させ、ここで、前記予備動き信号は前記予備レーダ信号と同時に取得されるようにし；
心拍数信号を心拍数モニタから受信させ、ここで、該心拍数信号は前記予備レーダ信号と同時に取得されるようにし；
呼吸モニタから呼吸信号を受信させ、ここで、該呼吸信号は前記予備レーダ信号と同時に取得されるようにし；及び
前記予備レーダ信号、前記予備動き信号、前記心拍数信号、および前記呼吸信号を使用して前記機械学習アルゴリズムを訓練させる；
請求項４に記載の医療機器。
【請求項６】
前記機械学習アルゴリズムは教師なし統計学習アルゴリズムであり、前記機械実行可能命令の実行は前記プロセッサに、更に、前記機械学習アルゴリズムを前記レーダ信号および前記動き信号が受信されるにつれてオンザフライで訓練させる、請求項４に記載の医療機器。
【請求項７】
前記動き信号および前記レーダ信号の一方は心臓動き信号を供給し、前記動き信号および前記レーダ信号の他方は身体動き信号を供給し、前記機械実行可能命令の実行が前記プロセッサに、更に、前記心臓動き信号および前記身体動き信号を使用して運動ベクトル場を計算させ、前記心臓動き信号が該運動ベクトル場を使用してノイズ除去される、請求項２または３に記載の医療機器。
【請求項８】
前記動き信号が胸部運動を含み、前記動き検出システムが、前記胸部運動を検出するためのカメラを含む、請求項１に記載の医療機器。
【請求項９】
前記磁気共鳴撮像システムは前記カメラを遠隔的に指向させる遠隔制御可能なカメラマウントをさらに含み、前記機械実行可能命令の実行が前記プロセッサに、更に：
前記レーダ信号を使用して焦点位置を決定させ；及び
前記カメラを前記焦点位置に向けるように前記遠隔制御可能なカメラマウントを制御させる；
請求項８に記載の医療機器。
【請求項１０】
前記動き検出システムが、超音波撮像システムを含む、請求項１に記載の医療機器。
【請求項１１】
前記超音波撮像システムが前記支持面にわたって分布された超音波トランスデューサアレイを備えるか、または前記超音波撮像システムが前記被検体支持体に取り付けられたＨＩＦＵシステムである、請求項１０に記載の医療機器。
【請求項１２】
超音波撮像システムは調整可能な視野を有し、前記機械実行可能命令の実行が前記プロセッサに、さらに：
前記レーダ信号を使用して焦点位置を決定させ；及び
前記焦点位置が前記調節可能な視野内に収まるように該調節可能な視野を制御させる；
請求項１０または１１に記載の医療機器。
【請求項１３】
当該医療機器は放射線治療システムをさらに含み、前記機械実行可能命令の実行は前記プロセッサに、更に：
前記被検体のターゲットゾーンを照射するように前記放射線治療システムを制御するための放射線治療命令を受信させ；及び
前記放射線治療命令及び前記合成運動信号を使用して前記ターゲットゾーンを照射するように前記放射線治療システムを制御させ、ここで、前記合成運動信号が前記放射線治療命令を修正し及び／又は前記放射線治療システムによる照射をゲーティングするために使用されるようにする；
請求項１から１２の何れか一項に記載の医療機器。
【請求項１４】
医療機器を制御するための機械実行可能命令を備えるコンピュータプログラムであって、前記医療機器は撮像ゾーンから磁気共鳴撮像データを取得するための磁気共鳴撮像システムを備え、前記医療機器は前記撮像ゾーン内の被検体の少なくとも一部を支持する被検体支持体を備え、前記被検体支持体は前記被検体を受けるための支持面を備え、前記被検体支持体は前記支持面の下に埋め込まれたレーダアレイを備え、前記医療機器は前記被検体からレーダ信号を取得するためのレーダシステムをさらに備え、前記レーダシステムは前記レーダアレイを有し、前記医療機器は前記被検体から動き信号を取得する動き検出システムをさらに備え、前記機械実行可能命令の実行はプロセッサに：
連続的に前記レーダシステムから前記レーダ信号を受信させ；
連続的に前記動き検出システムから前記動き信号を受信させ；
連続的に前記レーダシステム及び前記動き信号から合成運動信号を計算させ；及び
パルスシーケンスコマンドを用いて前記磁気共鳴撮像システムを制御して、前記磁気共鳴撮像データを取得させ、ここで、該磁気共鳴撮像データの取得が前記合成運動信号を用いて制御されるようにする；
コンピュータプログラム。
【請求項１５】
医療機器を動作させる方法であって、前記医療機器は撮像ゾーンから磁気共鳴撮像データを取得するための磁気共鳴撮像システムを含み、前記医療機器は前記撮像ゾーン内で被検体の少なくとも一部を支持する被検体支持体を含み、該被検体支持体は前記被検体を受けるための支持面を含み、前記被検体支持体は該支持面の下に埋め込まれたレーダアレイを含み、前記医療機器は前記被検体からレーダ信号を取得するためのレーダシステムをさらに含み、該レーダシステムは前記レーダアレイを含み、前記医療機器は前記被検体から動き信号を取得する動き検出システムをさらに含み、当該方法が：  
連続的に前記レーダシステムから前記レーダ信号を受信するステップ；
連続的に前記動き検出システムから前記動き信号を受信するステップ；
連続的に前記レーダシステム及び前記動き信号から合成運動信号を計算するステップ；及び
パルスシーケンスコマンドを用いて前記磁気共鳴撮像システムを制御して、前記磁気共鳴撮像データを取得するステップであって、該磁気共鳴撮像データの取得が前記合成運動信号を用いて制御されるステップ；
を有する、方法。
【発明の詳細な説明】
【技術分野】
【０００１】
本発明は磁気共鳴撮像（イメージング）に関し、特に、レーダ（ＲＡＤＡＲ）を用いた磁気共鳴イメージングの制御に関する。
【背景技術】
【０００２】
患者の体内の画像を生成するための手順の一部として原子の核スピンを整列させるために、大きな静磁場が磁気共鳴イメージング（ＭＲＩ）スキャナによって使用される。被検者の様々な量または特性は、ＭＲＩを使用して空間的に測定することができる。しかしながら、磁気共鳴イメージングデータの取得は瞬間的ではない。被検者はデータの取得中に動き、取得を損なう可能性がある。データ収集のゲーティングを含む、被検者の動きを補償するための様々な方法が存在する。
【０００３】
米国特許出願公開第２００５／０１２８１２３  Ａ１号は、レーダ検出システムの動きによって導入される運動アーチファクトを抑制するためのシステムおよび方法を開示している。簡単に説明すると、アーキテクチャにおいて、該システムの一実施形態は、とりわけ、以下のように実施することができる。このシステムは物体の方へ向けられたマイクロ波信号を送信し、物体及び該物体の後方に位置する生きている被写体からの反射マイクロ波信号を受信するように構成されたドップラレーダモジュールを含む。また、該システムは基準信号を物体に向けて送信し、反射された基準信号を物体から受信するように構成された基準モジュールを含む。ドプラレーダモジュールと基準装置からの２つの反射信号を比較することにより、信号プロセッサが、ドプラレーダモジュールの移動によって生成される運動アーチファクトを抑制して、物体の背後における生きている被写体の存在を識別する。他のシステムおよび方法も提供される。
【０００４】
米国特許出願公開ＵＳ  ２０１０／０２７１６１５  Ａ１には、ライダシステムからの距離及びドップラ速度測定値並びにビデオシステムからの画像を用いて、ターゲットの６自由度軌道を推定するシステムが開示されている。このシステムはビデオシステムからの画像から得られた種々の特徴測定と共にライダシステムからのレンジおよびドップラ測定を用いてターゲットの第１段階運動側面（すなわち、ターゲットの軌道）を推定する第１段階と、ビデオシステムからの画像およびターゲットの第１段階運動側面を用いてターゲットの第２段階運動側面を推定する第２段階との２段階でこの軌道を推定する。ターゲットの第２段階の運動側面が推定されると、ターゲットの３次元画像が生成され得る。
【０００５】
米国特許出願公開ＵＳ２０１４／００７３９０８は、患者の動きを検出するための動きセンサユニットを備えたＭＲＩシステムを開示している。既知の運動センサユニットを、ＲＦ受信機コイル内に一体化することができる。
【発明の概要】
【０００６】
本発明は、独立請求項における医療機器、コンピュータプログラム製品、および方法を提供する。実施形態は従属請求項に記載されている。
【０００７】
超広帯域レーダのようなレーダシステムは、磁気共鳴撮像（イメージング）のための被写体の動きを測定するために使用されてきた。しかしながら、磁気共鳴イメージングを誘導またはトリガするために使用されるレーダ信号は、乱されるか、またはノイズを含む可能性がある。実施形態はレーダ信号と結合および／または相関され得る動き信号を同時に測定するために、付加的な動き検出システムを使用することによって、これを改善することができる。例えば、カメラおよび／または超音波撮像システム（ドップラ超音波撮像システムなど）からのデータを使用してもよい。これは、磁気共鳴撮像（イメージング）データの取得をトリガし、制御すること、または放射線治療装置の制御などのために使用することができる、よりロバストな合成運動信号をもたらすことができる。
【０００８】
一態様では、本発明は撮像ゾーンから磁気共鳴撮像データを取得するように構成された磁気共鳴撮像システムを備える医療機器を提供する。該磁気共鳴撮像システムは、撮像ゾーン内で被検体（被検者）の少なくとも一部を支持するように構成された被検体支持体を備える。該被検者支持体は、被検者を受け入れるための支持面を含む。該被検体支持体は、特に支持面の下に埋め込まれたレーダアレイを含む。いくつかの例では、該レーダアレイは被検体支持体内に埋め込まれてもよい。他の実施形態では、支持面は、被検体支持体上に配置されるレーダアレイを備えるオーバーレイまたはアタッチメントによって形成される。
【０００９】
当該磁気共鳴撮像システムはさらに、被検体からレーダ信号を取得するためのレーダシステムを備える。該レーダシステムは、レーダアレイを備える。当該医療機器は、被検者から動き信号を取得するように構成された動き検出システムをさらに備える。該動き検出システムは、異なる例では異なる形態をとることができる。一例では、動き検出システムは被検者の動き又は呼吸を測定するために使用される光学又はカメラシステムである。他の例では、動き検出システムは、例えば、超音波撮像システムであってもよい。
【００１０】
当該医療機器は、機械（マシン）実行可能命令およびパルスシーケンスコマンドを記憶するためのメモリをさらに備える。パルスシーケンスコマンドは、磁気共鳴イメージングシステムを制御して磁気共鳴イメージングデータを取得するために使用することができる命令またはコマンドに変換することができる命令またはデータである。当該医療機器は、該医療機器を制御するためのプロセッサをさらに備える。前記機械実行可能命令の実行は、プロセッサにレーダシステムからレーダ信号を連続的に受信させる。該機械実行可能命令の実行はさらに、プロセッサに、動き検出システムから動き信号を連続的に受信させる。
【００１１】
前記機械実行可能命令の実行により、プロセッサは、前記レーダ信号及び動き信号から合成運動信号を連続的に計算する。レーダ信号および動き信号は例えば、デジタル的にサンプリングされてもよい。このコンテキストにおいて、本明細書における連続的という言及は、繰り返しと解釈されてもよい。例えば、レーダ信号および動き信号は、デジタル的にサンプリングされ、特定のデータレートで、またはデータのグループでプロセッサに転送されてもよい。レーダ信号および動き信号がプロセッサによって受信されると、プロセッサは、合成運動信号を計算することによって応答することができる。
【００１２】
前記機械実行可能命令の実行はさらに、プロセッサに、磁気共鳴イメージングデータを取得するためのパルスシーケンスコマンドを用いて磁気共鳴撮像（イメージング）システムを制御させる。磁気共鳴画像データの取得は少なくとも部分的に、前記合成運動信号を使用して制御される。例えば、該合成運動信号は心臓または呼吸相などの特定の運動相に関する画像が作成され得るように、磁気共鳴撮像データの取得をゲート制御するために使用されてもよい。他の例では、前記動き信号または合成運動信号は医療機器の別の部分との動作中に磁気共鳴撮像データがどのように取得されるかを制御するために使用されてもよい。
【００１３】
この実施形態はレーダ信号と動き信号との組み合わせが、より正確な運動信号を計算することを可能にし得るか、またはノイズの影響を受けにくい運動信号を可能にし得るので、有益であり得る。
【００１４】
前記合成運動信号は例えば、心臓および／または呼吸信号の磁気共鳴取得をゲート制御するために使用されてもよい。該合成運動信号はまた、無線治療システムをゲート制御するために有用であり得る。
【００１５】
別の実施形態では、前記レーダシステムは超広帯域またはＵＷＢレーダシステムである。他の例では、該レーダシステムはＦＭＣＷレーダシステムであってもよい。他の例では、該レーダシステムは狭帯域／デュアルバンド・レーダシステムであってもよい。
【００１６】
別の実施形態では、前記合成運動信号は心臓位相動き信号、呼吸位相動き信号、自発動き信号、およびそれらの組み合わせのうちのいずれか１つを含む。該合成運動信号は、被検者の呼吸が心臓相の測定に影響を及ぼす可能性があるため、有益であると考えられる。前記動き信号とレーダ信号に存在する２つのデータ型の組み合わせは、複数のタイプの運動をデコンボリューションするのに役立つ可能性がある。自発動き信号は例えば、被検者の全体的な運動または位置を記述するものであってもよい。被検者は動くので、単一のモダリティが被検者の心臓相または呼吸相のような何かを正確に測定することは困難である。例えば、カメラをレーダ信号と組み合わせることによって、被検者が動いている間、または自身の位置を変えている間に、心臓位相動き信号および／または呼吸位相運動を測定することが可能であり得る。
【００１７】
別の実施形態では、前記合成運動信号はレーダ信号を動き信号と相互相関させることによって計算され、類似の信号を識別し、誤った信号を拒絶する。この実施形態は、信号対雑音比を増加させるか、または当該合成運動信号を計算するときに誤差を減少させることができるので、有益であり得る。
【００１８】
別の実施形態では、前記合成運動信号はレーダ信号と動き信号とを乗算して、レーダ信号と動き信号とがいつ一致するかを決定することによって計算される。これは、レーダ信号と動き信号の両方が、それぞれトリガとして別々に使用できる振幅を有するので、有益である。レーダ信号と動き信号との乗算は、２つの信号を結合する一貫した手段を提供する。２つの信号の間に位相差または遅延があってもよいが、この効果は一貫している。別の実施形態では、前記合成運動信号は補正位相シフトを使用して、レーダ信号に動き信号を加えることによって計算される。例えば、レーダ信号のドプラ周波数シフトで運動速度を求めることができる。これは、レーダ信号と動き信号の間の位相を補正する際に役立ち得る。
光学システムとＲＡＤＡＲシステムの相関
【００１９】
別の実施形態では、前記合成運動信号は機械学習アルゴリズムを使用して連続的に計算される。機械学習アルゴリズムは、異なる例では異なる形式をとることができる。例えば、取得されたレーダ信号および動き信号にモデルを適合させて作成することもできる統計学習方法が存在し得る。他の例では、例えば、畳み込みニューラルネットワークおよび／または深層学習を使用するニューラルネットワークを使用して、レーダ信号および動き信号を処理して、合成運動信号にすることができる。ニューラルネットワークの使用は、ニューラルネットワークがパターンの識別に優れているので、特に有益である。従って、レーダ信号及び動き信号の特定のパターンは、深層学習を用いて組み合わせることができる。
【００２０】
別の実施形態では、機械実行可能命令がプロセッサに、レーダシステムから予備レーダ信号を受信させる。該機械実行可能命令の実行はさらに、プロセッサに、動き検出システムから予備動き信号を受信させる。予備動き信号は、予備レーダ信号と同時に取得される。機械実行可能命令の実行はさらに、プロセッサに心拍数モニタから心拍数信号を受信させる。心拍数信号は、予備レーダ信号と同時に取得される。機械実行可能命令の実行は、プロセッサに呼吸モニタから呼吸信号を受信させる。呼吸信号は、予備レーダ信号と同時に取得される。
【００２１】
前記機械実行可能命令の実行はさらに、プロセッサに、予備レーダ信号、予備動き信号、心拍数信号、および呼吸信号を使用して機械学習アルゴリズムを訓練させる。この実施形態は検査前に多数の被検者に対して実行されてもよいし、磁気共鳴撮像システムによって撮像されている特定の被検者の前に実行されてもよい。いずれの場合も、この例では機械学習アルゴリズムを直接訓練することができるように、レーダ信号および動き信号は心拍数信号および呼吸信号などの独立したデータと比較される。例えば、心拍数信号および呼吸信号は、ニューラルネットワークを訓練する際の出力に使用されてもよい。予備レーダ信号および予備動き信号は例えば、特定の被検者のためのものであってもよく、または、訓練プロセスのために使用される被検者のグループから取得されてもよい。
【００２２】
別の実施形態では、前記機械学習アルゴリズムは教師なし統計学習アルゴリズムである。前記機械実行可能命令の実行はさらに、プロセッサに、レーダ信号および動き信号が受信されると、オンザフライ（ｏｎ  ｔｈｅ  ｆｌｙ）で機械学習アルゴリズムを訓練させる。統計学習アルゴリズムは、モデルをデータにフィッティングすることを含むことができる。統計学習アルゴリズムは例えば、特定の被検者に、該被検者のためのレーダ信号及び動き信号の取得中に適応させることができる。
【００２３】
別の実施形態では、前記動き信号およびレーダ信号の一方が心臓動き信号を供給する。該動き信号とレーダ信号のもう一方は、身体動き信号を供給する。前記機械実行可能命令の実行はさらに、プロセッサに、心臓動き信号および身体動き信号を使用して運動ベクトル場を計算させる。心臓位相動き信号は、該運動ベクトル場を使用してノイズ除去される。この実施形態は身体動き信号によって記述される被検者の身体の全体的な動きが、心臓動き信号を改良、改善するために使用され得るので、有益であり得る。
【００２４】
別の実施形態では、前記動き信号は胸部運動を含む。前記動き検出システムは、胸部の動きを検出するためのカメラを備える。これは、カメラが非接触方式で被検者の呼吸を測定するために使用され得るため、有益であり得る。
【００２５】
使用できるカメラの例は例えば、赤外線カメラ、カラーカメラ、白黒カメラ、および三次元または３Ｄカメラである。
【００２６】
別の実施形態では、カメラが被検体上に表面コイルがあるかどうかを任意選択で検出することもできる。胸部の動きを検出する場合、胸部の動きは、被検者の直接的な動きを測定することによって、被検者によって着用されている衣類の位置の変化を測定することによって、または被検者上に置かれた表面コイルの位置の変化によってさえ、検出され得る。
【００２７】
別の実施形態では、前記磁気共鳴撮像システムはカメラを遠隔指向するように構成された遠隔制御可能なカメラマウントをさらに含む。前記機械実行可能命令の実行はさらに、プロセッサにレーダ信号を使用して焦点位置を決定させる。該機械実行可能命令の実行はプロセッサに、カメラを焦点位置に向けるように遠隔制御可能なカメラマウントを制御させる。この実施形態は、レーダシステムが被検体の全体的な又は広い動きを検出するのに有用であり得るため、有益であり得る。レーダシステムを使用すれば、カメラを狙うのに最適な位置を検出できる。次いで、カメラは、この焦点位置に向けられ、次いで、カメラからの動きデータを使用して、レーダ信号によって検出される運動をさらに改良することができる。
【００２８】
別の実施形態では、動き検出器システムは超音波撮像システムを含む。該超音波撮像システムの使用は、該超音波撮像システムによって取得されたデータがレーダシステムによって取得されたデータに対し補足的であるため、有益であり得る。
【００２９】
別の実施形態では、超音波撮像（イメージング）システムは前記支持面にわたって分布された超音波トランスデューサアレイを含む。例えば、超音波トランスデューサは、レーダアレイの要素の周囲または中央に配置されてもよい。
【００３０】
別の実施形態では、超音波撮像システムは前記被検体支持体に取り付けられたＨＩＦＵシステムである。この実施形態は、ＨＩＦＵシステムが動き信号を取得することと、被検者内の位置で超音波処理を実行することとの両方に有用であり得るため、有益であり得る。前記合成運動信号は例えば、ＨＩＦＵシステムを使用して被検者の超音波処理の標的化またはゲーティングを調整するために有用であり得る。
【００３１】
別の実施形態では、前記超音波撮像システムは調節可能な視野を有する。前記機械実行可能命令の実行はさらに、プロセッサに、レーダ信号を使用して焦点位置を決定させ、焦点位置が調整可能な視野内にあるように該調整可能な視野を制御させる。例えば、前記支持面にわたって分散された多数の超音波トランスデューサが存在する場合、レーダシステムを使用して、まず、超音波撮像システムで動き信号を測定すべく、被検者を撮像するためにどのトランスデューサを使用すべきかを決定することができる。これは、前記合成運動信号がより少ないノイズを有し、被写体の動きを追跡するためのより関連性のある信号を含む可能性を増加させる効果を有し得る。
【００３２】
別の実施形態では、当該医療機器は放射線治療システムをさらに含む。前記機械実行可能命令の実行はさらに、プロセッサに、放射線治療システムを制御して被検者のターゲット（標的）ゾーンを照射するように構成された放射線治療命令を受信させる。該機械実行可能命令の実行はさらに、プロセッサに、放射線治療命令および前記合成運動信号を使用して、標的ゾーンを照射するように放射線治療システムを制御させる。前記合成運動信号は、放射線治療命令を修正し、及び／又は放射線治療システムによる照射をゲーティングするために使用される。この実施形態は、前記合成運動信号が放射線治療システムの標的決めを改善するために使用され得るので、有益であり得る。
【００３３】
別の実施形態では、当該磁気共鳴撮像システムは移動ベッド磁気共鳴撮像プロトコルを実行するように構成される。これは、ベッドが磁気共鳴撮像システム内に移動され、磁気共鳴イメージングが同時に又は段階的に実行されるプロトコルである。被検体支持体の移動中に、レーダ信号と動き信号の両方が検出され、測定され得る。これら信号は、フィルタリングされ、相関されてもよい。被検体（被検者）支持体の特定の位置では、信号の一方または他方で十分であり得る。これは、移動ベッド磁気共鳴撮像プロトコル中の追跡及び運動を改善するという利点を提供することができる。
【００３４】
別の態様では、本発明は医療機器を制御するプロセッサによって実行されるように構成された機械実行可能命令を備えるコンピュータプログラム製品を提供する。当該医療機器は、撮像ゾーンから磁気共鳴撮像データを取得するための磁気共鳴撮像システムを備える。該医療機器は、撮像ゾーン内で被検体の少なくとも一部を支持するように構成された被検体支持体を備える。該被検者支持体（サポート）は、被検者を受け取るための支持面を含む。被検者支持体は、支持面の下に埋め込まれたレーダアレイを備える。該医療機器は、被検体からレーダ信号を取得するためのレーダシステムをさらに備える。レーダシステムは、レーダアレイを備える。
【００３５】
当該医療機器は、被検者から動き信号を取得するように構成された動き検出システムをさらに備える。前記機械実行可能命令の実行はさらに、プロセッサにレーダシステムからレーダ信号を連続的に受信させる。該機械実行可能命令の実行はさらに、プロセッサに、動き検出システムから動き信号を連続的に受信させる。該機械実行可能命令の実行により、プロセッサは、レーダ信号及び動き信号から合成運動信号を連続的に計算する。該機械実行可能命令の実行はさらに、プロセッサに、磁気共鳴イメージングデータを取得するためのパルスシーケンスコマンドを用いて磁気共鳴撮像システムを制御させる。磁気共鳴イメージングデータの取得は、前記合成運動信号を用いて制御される。この実施形態の利点は前述されている。
【００３６】
別の態様では、本発明は医療機器を動作させる方法を提供する。該医療機器は、撮像ゾーンから磁気共鳴撮像データを取得するための磁気共鳴撮像システムを備える。該医療機器は、撮像ゾーン内で被検体の少なくとも一部を支持するように構成された被検体支持体を備える。被検者支持体（被検体支持体）は、被検者を受け入れるための支持面を含む。該被検者支持体は、支持面の下に埋め込まれたレーダアレイを備える。該医療機器は、被検体からレーダ信号を取得するためのレーダシステムをさらに備える。レーダシステムは、レーダアレイを備える。
【００３７】
前記医療機器は、被検者から動き信号を取得するように構成された動き検出システムをさらに備える。この方法は、レーダシステムからレーダ信号を連続的に受信することを含む。本方法は、動き検出システムから動き信号を連続的に受信するステップをさらに含む。この方法は、レーダ信号及動き信号から合成運動信号を連続的に計算するステップをさらに含む。本方法は磁気共鳴撮像データを取得するために、パルスシーケンスコマンドを用いて磁気共鳴撮像システムを制御するステップをさらに含む。磁気共鳴画像データの取得は、上記合成運動信号を用いて制御される。
【００３８】
本発明の前述の実施形態のうちの１つ以上は、組み合わされた実施形態が相互に排他的でない限り、組み合わされてもよいことが理解される。
【００３９】
当業者には理解されるように、本発明の態様は、装置、方法、またはコンピュータプログラム製品として実施することができる。したがって、本発明の態様は完全にハードウェアの実施形態、完全にソフトウェアの実施形態（ファームウェア、常駐ソフトウェア、マイクロコードなどを含む）、または本明細書ではすべて一般に「回路」、「モジュール」、または「システム」と呼ぶことができるソフトウェアおよびハードウェアの態様を組み合わせた実施形態の形態をとることができる。さらに、本発明の態様は、コンピュータ実行可能コードがその上に具現化された１つまたは複数のコンピュータ可読媒体に具現化されたコンピュータプログラム製品の形態をとることができる。
【００４０】
１つまたは複数のコンピュータ可読媒体の任意の組合せを利用することができる。コンピュータ可読媒体は、コンピュータ可読信号媒体またはコンピュータ可読記憶媒体であってもよい。本明細書で使用される「コンピュータ可読記憶媒体」は、コンピューティングデバイス（計算装置）のプロセッサによって実行可能な命令を記憶することができる任意の有形の記憶媒体を包含する。コンピュータ読み取り可能な記憶媒体は、コンピュータ読み取り可能な一時的でない（非一時的）記憶媒体と呼ばれる場合がある。コンピュータ可読記憶媒体はまた、実体のあるコンピュータ可読媒体と呼ばれることもある。ある実施形態では、コンピュータ読み取り可能な記憶媒体はコンピュータ装置のプロセッサによってアクセス可能なデータを記憶することも可能である。コンピュータで読み取り可能な記憶媒体の例としてはフロッピーディスク、磁気ハードディスクドライブ、ソリッドステートハードディスク、フラッシュメモリ、ＵＳＢメモリ、ＲＡＭ（Ｒａｎｄｏｍ  Ａｃｃｅｓｓ  ｍｅｍｏｒｙ）、読み取り専用メモリ（ＲＯＭ）、光ディスク、光磁気ディスク、及びプロセッサのレジスタファイルが挙げられるが、これらに限定されない。光ディスクの例としては、ＣＤ−ＲＯＭ、ＣＤ−ＲＷ、ＣＤ−Ｒ、ＤＶＤ−ＲＯＭ、ＤＶＤ−ＲＷ、またはＤＶＤ−Ｒディスクなどのコンパクトディスク（ＣＤ）およびデジタル汎用ディスク（ＤＶＤ）がある。コンピュータ可読記憶媒体という用語はまた、ネットワークまたは通信リンクを介してコンピュータ装置によってアクセスされることが可能な様々なタイプの記録媒体を指す。例えば、データは、モデムを介して、インターネットを介して、またはローカルエリアネットワークを介して検索することができる。コンピュータ可読媒体上に具現化されたコンピュータ実行可能コードは無線、有線、光ファイバケーブル、ＲＦなど、または前述のもの任意の適切な組合せを含むがこれらに限定されない、任意の適切な媒体を使用して送信され得る。
【００４１】
コンピュータ可読信号媒体は例えば、ベースバンドで、または搬送波の一部として、コンピュータ実行可能コードがその中に具現化された伝搬データ信号を含むことができる。そのような伝播信号は電磁、光学、またはそれらの任意の適切な組み合わせを含むが、それらに限定されない、任意の様々な形態をとることができる。コンピュータ読み取り可能な信号媒体はコンピュータ読み取り可能な記憶媒体ではなく、命令実行システム、装置、またはデバイスによって、またはそれに関連して使用するために、プログラムを通信、伝播、または移送することができる、任意のコンピュータ読み取り可能な媒体であってもよい。
【００４２】
「コンピュータメモリ」または「メモリ」は、コンピュータ読み取り可能な記憶媒体の一例である。コンピュータメモリは、プロセッサに直接アクセス可能な任意のメモリです。コンピュータメモリは、任意の揮発性または不揮発性のコンピュータ読み取り可能な記憶媒体であってもよい。
【００４３】
本明細書で使用される「プロセッサ」は、プログラムまたはマシン実行可能命令またはコンピュータ実行可能コードを実行することができる電子コンポーネントを包含する。「プロセッサ」を含む計算装置への言及は、おそらく複数のプロセッサまたは処理コアを含むものとして解釈されるべきである。プロセッサは例えば、マルチコアプロセッサであってもよい。プロセッサは、単一のコンピュータシステム内の、または複数のコンピュータシステム間で分散されたプロセッサの集合を指す場合もある。コンピューティングデバイス（計算装置）という用語は、プロセッサまたはプロセッサを構成するそれぞれのコンピューティングデバイスの集合またはネットワークを指す可能性があると解釈されるべきである。コンピュータ実行可能コードは同一のコンピューティングデバイス内にあってもよいし、複数のコンピューティングデバイスに分散されていてもよい複数のプロセッサによって実行されてもよい。
【００４４】
コンピュータ実行可能コードは、マシン実行可能命令またはプロセッサに本発明の態様を実行させるプログラムを含むことができる。本発明の態様に対する処理を実行するためのコンピュータ実行可能コードはＪａｖａ（登録商標）、Ｓｍａｌｌｔａｌｋ（登録商標）、Ｃ＋＋等のオブジェクト指向プログラミング言語、およびＣプログラミング言語または類似のプログラミング言語のような従来の手続き型プログラミング言語を含み、マシン実行可能命令にコンパイルされる、１つ以上のプログラミング言語の任意の組み合わせで書くことができる。場合によっては、コンピュータ実行可能コードは高水準言語の形態であってもよいし、事前にコンパイルされた形態であってもよく、その場でマシン実行可能命令を生成するインタプリタと共に使用されてもよい。
【００４５】
コンピュータ実行可能コードは、スタンドアロンのソフトウェアパッケージとして、完全にユーザのコンピュータ上で、部分的にユーザのコンピュータ上で、部分的にユーザのコンピュータ上で且つ部分的にリモートのコンピュータ上で、または完全にリモートのコンピュータ若しくはサーバ上で、実行することができる。後者のシナリオでは、遠隔（リモート）コンピュータはローカルエリアネットワーク（ＬＡＮ）または広域ネットワーク（ＷＡＮ）を含む任意のタイプのネットワークを介してユーザのコンピュータに接続されてもよく、または（例えば、インターネットサービスプロバイダを使用してインターネットを介して）外部コンピュータに接続されてもよい。
【００４６】
本発明の態様は、本発明の実施形態による方法、装置（システム）、およびコンピュータプログラム製品のフローチャート図および／またはブロック図を参照して説明される。フローチャート、図、および／またはブロック図の各ブロックまたはブロックの一部は、適用可能な場合にはコンピュータ実行可能コードの形態のコンピュータプログラム命令によって実施することができることを理解されたい。さらに、相互に排他的ではない場合、異なるフローチャート、図、および／またはブロック図におけるブロックの組合せを組み合わせることができることを理解されたい。これらのコンピュータプログラム命令は、汎用コンピュータ、専用コンピュータ、または他のプログラマブルデータ処理装置のプロセッサに提供されて、コンピュータまたは他のプログラマブルデータ処理装置のプロセッサを介して実行される命令が流れ図および／またはブロック図の１つまたは複数のブロックで指定された機能／動作を実施するための手段を作成するように、マシンを生成することができる。
【００４７】
これらのコンピュータプログラム命令はコンピュータ、他のプログラマブルデータ処理装置、または他のデバイスに特定の方法で機能するように指示することができるコンピュータ可読媒体に格納することもでき、その結果、コンピュータ可読媒体に格納された命令は、フローチャートおよび／またはブロック図の１つまたは複数のブロックで指定された機能／動作を実施する命令を含む製造品を生成する。
【００４８】
コンピュータプログラム命令はまた、コンピュータ、他のプログラマブルデータ処理装置、または他のデバイスにロードされて、一連の動作ステップがコンピュータ、他のプログラマブル装置、または他のデバイス上で実行されて、コンピュータまたは他のプログラマブル装置上で実行される命令がフローチャートおよび／またはブロック図の１つまたは複数のブロックで指定された機能／動作を実施するためのプロセスを提供するように、コンピュータ実施プロセスを生成することも可能である。
【００４９】
ここで使用される「ユーザインターフェース」は、ユーザまたはオペレータがコンピュータまたはコンピュータシステムと対話することを可能にするインターフェースである。「ユーザインターフェース」は、「ヒューマンインターフェース装置」とも呼ばれる。ユーザインターフェースは情報またはデータをオペレータに提供し、および／またはオペレータから情報またはデータを受信することができる。ユーザインターフェースはオペレータからの入力をコンピュータによって受け取ることを可能にし、コンピュータからユーザに出力を提供することができる。換言すれば、ユーザインターフェースはオペレータがコンピュータを制御または操作することを可能にし、インターフェースは、コンピュータがオペレータの制御または操作の効果を示すことを可能にしてもよい。ディスプレイまたはグラフィカル・ユーザ・インタフェース上のデータまたは情報の表示は、オペレータに情報を提供する一例である。キーボード、マウス、トラックボール、タッチパッド、ポインティングスティック、グラフィックスタブレット、ジョイスティック、ゲームパッド、ウェブカメラ、ヘッドセット、ペダル、有線グローブ、リモートコントロール、および加速度計を介したデータの受信は、すべて、オペレータからの情報またはデータの受信を可能にするユーザインターフェース構成要素の例である。
【００５０】
本明細書で使用される「ハードウェアインターフェース」は、コンピュータシステムのプロセッサが外部の計算装置および／または装置と対話および／または制御することを可能にするインターフェースを含む。ハードウェアインターフェースは、プロセッサが制御信号または命令を外部コンピューティングデバイスおよび／または装置に送信することを可能にし得る。ハードウェアインターフェースはまた、プロセッサが外部の計算装置および／または装置とデータを交換することを可能にしてもよい。ハードウェアインターフェースの例としてはユニバーサルシリアルバス、ＩＥＥＥ  １３９４ポート、パラレルポート、ＩＥＥＥ  １２８４ポート、シリアルポート、ＲＳ−２３２ポート、ＩＥＥＥ−４８８ポート、ブルートゥース（登録商標）接続、無線ローカルエリアネットワーク接続、ＴＣＰ／ＩＰ接続、イーサネット（登録商標）接続、制御電圧インターフェース、ＭＩＤＩインターフェース、アナログ入力インターフェース、およびデジタル入力インターフェースが挙げられるが、これらに限定されない。
【００５１】
磁気共鳴（ＭＲ）データは、本明細書では磁気共鳴イメージングスキャン中に磁気共鳴装置のアンテナを用いた原子スピンによって放射される高周波信号の記録された測定値であると定義される。磁気共鳴データまたは磁気共鳴イメージングデータは、医用イメージングデータの一例である。磁気共鳴（ＭＲ）画像は、本明細書では磁気共鳴撮像データ内に含まれる解剖学的データの再構成された２次元または３次元視覚化として定義される。
【図面の簡単な説明】
【００５２】
【図１】図１は、医療機器の一例を示す。
【図２】図２は、図１の医療機器を動作させる方法を示すフローチャートを示す。
【図３】図３は、医療機器のさらなる例を示す。
【図４】図４は、医療機器のさらなる例を示す。
【図５】図５は、医療機器のさらなる例を示す。
【図６】図６は、図５の医療機器を動作させる方法を示すフローチャートを示す。
【図７】図７は、医療機器のさらなる例を示す。
【図８】図８は、合成運動信号を計算する方法を示すフローチャートを示す。
【図９】図９は、医療機器のさらなる例を示す。
【図１０】図１０は、合成運動信号を計算するさらなる方法を示すフローチャートを示す。
【発明を実施するための形態】
【００５３】
以下、本発明の好ましい実施形態を、単なる例として、図面を参照して説明する。
【００５４】
これらの図における同様の番号が付された要素は、同等の要素であるか、または同じ機能を実行するかのいずれかである。前述した要素は、機能が同等である場合には必ずしも後の図で説明されない。
【００５５】
図１は、磁石１０４を有する磁気共鳴撮像システム１０２である医療機器１００の一例を示す。磁石１０４は、それを貫通するボア１０６を有する超伝導円筒型の磁石である。異なる種類の磁石の使用も可能である；例えば、分割円筒磁石といわゆる開放磁石の両方を使用することも可能である。分割円筒形磁石はクライオスタットが磁石の等平面へのアクセスを可能にするために２つのセクションに分割されていることを除いて、標準的な円筒形磁石と同様であり、このような磁石は例えば、荷電粒子ビーム治療と併せて使用されてもよい。開放磁石（オープンマグネット）は被検者を受け入れるのに十分な大きさの空間を間に有する上下２つのマグネット部分を有し、該２つの部分の配置はヘルムホルツコイルのものと類似している。オープンマグネットは、被写体が余り制限されないため、人気がある。円筒形磁石のクライオスタットの内部には、超電導コイルの集合体がある。円筒状磁石１０４のボア１０６内には、磁気共鳴撮像（イメージング）を実行するのに十分な強さおよび均一性を有する撮像（イメージング）ゾーン１０８が存在する。関心領域１０９が撮像ゾーン１０８内に示されている。取得される磁気共鳴撮像データは、典型的には関心領域について取得される。被検体（被検者）１１８は被検体１１８の少なくとも一部が撮像ゾーン１０８および関心領域１０９内にあるように、被検体（被検者）支持体１２０によって支持されているように示されている。
【００５６】
磁石のボア１０６内には勾配磁場コイル１１０の組も存在し、これは磁石１０４の撮像ゾーン１０８内の磁気スピンを空間的に符号化することにより、予備的な磁気共鳴撮像データの取得のために使用される。勾配磁場コイル１１０は勾配磁場コイル電源１１２に接続される。勾配磁場コイル１１０は、代表的なものであることが意図されている。典型的には、勾配磁場コイル１１０は３つの直交する空間方向において空間的に符号化するための３つの別々のセットのコイルを含む。勾配磁場電源は、勾配磁場コイルに電流を供給する。勾配磁場コイル１１０に供給される電流は、時間の関数として制御され、ランプ状にされてもパルス状にされてもよい。
【００５７】
撮像ゾーン１０８に隣接して、撮像ゾーン１０８内の磁気スピンの配向を操作し、また撮像ゾーン１０８内のスピンからの無線送信を受信するための無線周波数コイル１１４がある。該無線周波数アンテナは、複数のコイル要素を含んでもよい。該無線周波数アンテナは、チャネルまたはアンテナと呼ばれることもある。無線周波数コイル１１４は、無線周波数トランシーバ１１６に接続される。無線周波数コイル１１４および無線周波数トランシーバ１１６は、別個の送信コイルおよび受信コイル、ならびに別個の送信機および受信機と置き換えてもよい。無線周波数コイル１１４および無線周波数トランシーバ１１６は、代表的であることが理解される。無線周波数コイル１１４は、専用の送信アンテナおよび専用の受信アンテナを表すことも意図されている。同様に、トランシーバ１１６も、別個の送信機及び受信機を表すことができる。また、無線周波数コイル１１４は複数の受信／送信要素を有してもよく、無線周波数トランシーバ１１６は複数の受信／送信チャネルを有する可能性がある。例えば、ＳＥＮＳＥのような並列撮像技術が実行される場合、無線周波数コイル１１４は、複数のコイル要素を有することができる。
【００５８】
被検体支持体１２０は、撮像ゾーンにおいて被検体１１８を支持するものとして示されている。被検者支持体１２０は、被検者１１８を受け入れるように構成された支持面１２１を有する。被検者支持体１２０内に位置決めされているように示されているレーダシステム１２４がある。レーダシステム１２４はまた、支持面１２１の下にあり、被検体１１８に向けられたレーダアレイ１２５を含む。レーダアレイ１２５の複数の要素は、被写体１１８の動きの測定を可能にする。これは、被検者１１８の内部及び外部の両方の動きを含む。ボックス１２２は、動き検出システム１２２を表すことを意図している。動き検出システム１２２のさらなる例は、さらなる図で詳述される。
【００５９】
傾斜磁場（勾配磁場）コイル電源１１２、トランシーバ１１６、動き検出システム１２２およびレーダシステム１２４は、コンピュータシステム１２６のハードウェアインターフェース１２８に接続されているように示されている。該コンピュータシステムはさらに、ハードウェアシステム１２８、メモリ１３４、およびユーザインターフェース１３２と通信するプロセッサ１３０を備える。メモリ１３４は、プロセッサ１３０にアクセス可能な任意の組み合わせのメモリであってもよい。これには、メイン・メモリ、キャッシュ・メモリなどのものや、フラッシュＲＡＭ、ハード・ドライブ、またはその他の記憶装置などの不揮発性メモリも含まれる。いくつかの例では、メモリ１３４は一時的でない（非一時的）コンピュータ可読媒体であると考えることができる。
【００６０】
メモリ１３４は、機械実行可能命令１４０を含むものとして示されている。機械実行可能命令１４０は、プロセッサ１３０が磁気共鳴撮像（イメージング）システム１００の動作および機能を制御することを可能にする。マシン実行可能命令１４０はまた、プロセッサ１３０が様々なデータ分析および計算機能を実行することを可能にしてもよい。コンピュータメモリ１３４は、パルスシーケンスコマンド１４２を含むものとしてさらに示されている。パルスシーケンスコマンドは、磁気共鳴イメージングプロトコルに従って、被検者１１８から一連の磁気共鳴イメージングデータを取得するように磁気共鳴イメージングシステム１００を制御するように構成される。
【００６１】
メモリ１３４は更に、レーダシステム１２４で取得されたレーダ信号１４４を含むものとして示されている。メモリ１３４はさらに、動き検出システム１２２によって記録された動き信号１４６を含むものとして示される。メモリ１３４は、レーダ信号１４４と動き信号１４６を使用して計算された結合動き信号１４８をさらに含むものとして示されている。合成運動信号１４８は例えば、異なる例において異なる形式をとることができる。これは、心臓信号、呼吸位相信号、又はこれら２つの組み合わせであってもよい。合成運動信号１４８はまた、被検者１１８の全体的な又は大きな動きについての詳細を含むことができる。
【００６２】
メモリ１３４はさらに、パルスシーケンスコマンド１４２を用いて磁気共鳴撮像システム１０２を制御することによって取得された磁気共鳴撮像データ１５０を含むものとして示される。メモリ１３４はさらに、磁気共鳴画像データ１５０から再構成された磁気共鳴画像１５２を含むものとして示されている。磁気共鳴画像データ１５０は、合成運動信号１４８を使用して部分的に制御することができる。例えば、合成運動信号１４８は磁気共鳴画像データの制御をゲート制御するために、または他の方法で調整するために使用されてもよい。
【００６３】
メモリ１３４は、レーダ信号１４４と動き信号１４６からの合成運動信号１４８を計算するために使用され得るオプションの機械学習アルゴリズム１５４を含むものとしてさらに示される。
【００６４】
図２は、図１の医療機器１００を動作させる方法を示すフローチャートを示す。図２に示す方法は、制御ループとして機能する。最初に、ステップ２００において、レーダ信号１４４が受信される。次にステップ２０２で、動き信号１４６が受信される。ステップ２００および２０２は同時に、またはいずれかの順序で実行されてもよい。レーダ信号１４４および動き信号１４６の受信は例えば、デジタルデータの形態であってもよい。この場合、レーダ信号１４４及び動き信号１４６は、離散的なデータ塊で取得することができる。それらは離散的に取得されるが、それらは規則的または反復的な方法で取得されてもよく、その場合、それらはデータの連続的な取得を構成する。次に、ステップ２０４で、合成運動信号１４８が、レーダ信号１４４および動き信号１４６から計算される。次に、ステップ２０６において、磁気共鳴撮像システム１０２は、パルスシーケンスコマンド１４２で制御されて、磁気共鳴撮像データ１５０を取得する。合成運動信号１４８は例えば、磁気共鳴撮像データ１５０の取得をゲート制御するために、または取得中にパルスシーケンスコマンド１４２を調整するために使用され得る。
【００６５】
図３は、医療機器３００のさらなる例を示す。図３に示す例は、図１に示す例と同様である。図３において、動き検出システムは、カメラ３２２である。このカメラは、オプションの遠隔制御可能なカメラマウント３２４に取り付けられているように示されている。遠隔で制御可能なカメラマウント３２４によって、カメラ３２２の焦点位置を遠隔で調節することができる。
【００６６】
メモリ１３４は、画像データ３４６を含むものとして示されている。該画像データはカメラ３２２によって記録されたものであり、動き信号の一例である。レーダシステム１２４は例えば、カメラ３２２を使用して被写体１１８のどの部分を最良に測定することができるかを決定する際に有用であり得る。メモリ１３４は、レーダ信号１４４を用いて決定された焦点位置３５０を任意に含むものとして示されている。次いで、焦点位置３５０を使用して、遠隔操作可能なカメラマウント３２４にカメラ３２２の位置を調整させるコマンドを生成することができる。
【００６７】
この例では、高周波コイル１１４は被検者１１８の胸部に配置された表面コイルである。カメラ３２２は例えば、画像データ３４６を測定することができ、該データは、次いで、被検者１１８が呼吸するときの無線周波数コイル１１４の位置の変化に気付くことにより動き信号１４６に変換される。他の例では、カメラ３２２が被検者１１８の胸部を直接見ることができ、又は被検者１１８が着用している衣類の動きを追跡することができる。
【００６８】
図４は、医療機器４００のさらなる例を示す。図４に示す例は、図１の医療機器の例と同様である。この例では、動き検出システムは超音波撮像（イメージング）システム４２２である。被検体支持体１２０内には超音波トランスデューサ４２４が散在している。超音波撮像システム４２２と超音波トランスデューサ４２４との間の接続は図示されていない。メモリ１３４は、ドップラ撮像超音波撮像システムなどの超音波撮像システム４２２を使用して取得された超音波データ４４６を含むものとして示されている。超音波データ４４６は、動き信号１４６の一例である。
【００６９】
どの超音波トランスデューサ４２４を超音波データの測定に使用すべきかを決定するために、レーダシステム１２４を用いて、最初に焦点位置３５０を決定することができる。焦点位置３５０は、超音波データ４４６を測定するためにどの超音波トランスデューサ４２４を使用するかを選択するために使用することができる。
【００７０】
図５は、医療機器５００のさらなる例を示す。図５に示す例は、当該医療機器が放射線治療システム５０２をさらに備えることを除いて、図３に示す例と同様である。この特定の例では該放射線治療システムはＬＩＮＡＣであるが、ＬＩＮＡＣシステムの代わりに他の放射線治療システムを使用することもできる。
【００７１】
放射線治療システム５０２は、ガントリ５０６及び放射線治療源５０８を含む。ガントリ５０６は、ガントリ回転軸５４０の周りに放射線治療源５０８を回転させるためのものである。放射線治療源５０８に隣接してコリメータ５１０がある。
【００７２】
本実施形態に示す磁石１０４は、標準的な円筒状の超電導磁石である。磁石１０４は、その内部に超電導コイル５１６を有するクライオスタット５１４を有する。クライオスタット内には超伝導シールドコイル５１８も存在する。
【００７３】
図１と同様に、トランシーバ１１６に接続された磁気共鳴コイル１１４が存在する。また、図５には、トランシーバに取り付けられた任意のボディコイル５２８が示されている。
【００７４】
被検者支持体１２０は、任意の機械的位置決めシステム５３７によって位置決めされてもよい。被検体１１８内には、ターゲットゾーン５３８がある。ガントリ回転軸５４０は、この特定の実施形態では磁石１０４の円筒軸と同軸である。対象支持体１２０は、ターゲットゾーン５３８がガントリ回転の軸５４０上に位置するように配置されている。放射線源５０８は、コリメータ５１０を通過して標的ゾーン５３８を通過する放射線ビーム５４２を生成するものとして示される。放射線源５０８が軸５４０を中心に回転されると、ターゲットゾーン５３８は放射線ビーム５４２によって標的とされる。放射ビーム５４２は、当該磁石のクライオスタット５１４を通過する。
【００７５】
機械的位置決めシステム５３７および放射線治療システム５０２は、コンピュータシステム１２６のハードウェアインターフェース１２８にさらに接続されているように示されている。
【００７６】
コンピュータメモリ１３４は、放射線治療命令５６０を含むものとしてさらに示されている。該放射線治療命令は、標的ゾーン５３８を照射するように放射線治療システム５０２を制御することができるようなコマンドに変換することができる命令またはコマンドである。放射線治療命令５６０の実行は、合成運動信号１４８を使用して修正またはゲート制御されてもよい。
【００７７】
図６は、図５の医療機器５００を動作させる方法を示すフローチャートを示す。最初に、ステップ６００において、放射線治療命令５６０が受信される。次に、この方法は図２に示すように、ステップ２００〜２０６に進む。ステップ２０６が実行された後、本方法はステップ６０２に進み、該放射線治療システムは、放射線治療命令５６０及び合成運動信号１４８を用いてターゲットゾーン５３８を照射するように制御される。例えば、合成運動信号１４８はターゲットゾーン５３８の照射をゲーティングするために使用することができ、または被検者１１８が自発的にまたは非自発的に動くときにターゲットゾーン５３８の位置を調整するために使用することもできる。
【００７８】
医療撮像（特にＭＲ）における高品質の起動（トリガリング）は、心臓‐、腹部‐または骨盤‐イメージングのような多数の検査に有用である。撮像シーケンス（パルスシーケンスコマンド）のためのトリガ信号（合成運動信号）は、等しい呼気状態または心周期中の等しい点で実行され、優れた画質をもたらすことができる。典型的には、バイタルサインが専用のセンサを使用して記録されるが、このセンサは高価であり、誤りおよび誤配置の傾向がある。さらに、患者のバルク運動はしばしば問題となり、特にスキャンが最長で数分間続き、１時間までの検査が可能なＭＲイメージング中に問題となる。
【００７９】
いくつかの例は心臓監視のための呼吸ベルトまたはＰＰＵセンサなどの接触センサを取り除き、バイタルサイン検出のための２つの非接触方法に置き換える。非接触方式は少なくとも従来のセンサと同等であるが、より安価で信頼性が高いことが以前に実証されている。さらに、レーダと光学的検出技術を組み合わせることにより、システム間の相互相関を使用した改良された信号品質、改良された較正方式、または他方を使用する一方のシステムの（空間）誘導が得られる。例えば、レーダは体内に侵入することができ、カメラよりも内部器官の動きを感知するのにより適している。一方、カメラは、レーダ信号が信頼できない全体的な患者の動きのような例外的な事象を検知するのにより適している。
【００８０】
例としては、撮像マシンの患者ベッド内またはその下の安価な（超広帯域）レーダセンサのアレイ、及び撮像中に患者を観察するボアに近い光学カメラまたは赤外線カメラを挙げることができる。
【００８１】
両方のシステムは、生データから呼吸および／または心臓信号を導出するコンピュータに接続される。光学部及びレーダ部のために適当なアルゴリズムが利用可能である。
【００８２】
両主体は、かくして、バイタルサインデータ（レーダ信号と動き信号）を生成することができるが、これらの信号を組み合わせて、例えば、より良い信号対雑音比を引き出すことができ、または例えば、レーダアレイは光学システムのために関心領域を提供することができ、該光学システムは、次いで、相対的に小さい信号でより大きな面積をモニタリングする代わりに、可能な限り最高の出力を生成するためにズームすることができる。
【００８３】
バイタルサイン検出のための光学システム及び超広帯域（ＵＷＢ）レーダの両方が、このようなシステムの実現可能性を示す異なるグループによって提示された。光学側の場合、該システムは、ボアの近くに配置された適切な光学系を有するカメラと、ビデオストリーム内の特徴部の動きから呼吸信号を、又はビデオ内の患者の皮膚色の変化から心臓信号を計算するソフトウェアアルゴリズムとを含むことができる。
【００８４】
前記レーダアレイシステムは患者の上半身を広範囲にカバーすることができるように、患者ベッド内または患者ベッドの下に都合よく配置することができる。ＧＨｚ範囲の異なる周波数で動作するシステムが、超広帯域ソリューションと同様に実証されている。呼吸または心臓信号は体内の反射から、または飛行時間測定から計算することができる。
【００８５】
改善された呼吸トリガを導出するために、当該システムは、以下のように動作することができる：
例  １：
−  両方のシステムは、ビデオ及びレーダ測定値から導出された呼吸曲線及びトリガ点を提供する。
−  次いで、独立した測定値が相関され、改善されたトリガが生成される。
例２：
−  両方のシステムは、ビデオ及びレーダ測定値から導出された呼吸曲線及びトリガ点を提供する。
−  空間的に分解されたレーダデータにおいて、最良のＳＮ比を持つ領域が決定され、座標が光学系に引き渡される。
−  カメラビューは、このＲＯＩ（視野角、ズーム、露出・・・）に調整され、より高品質の呼吸曲線を生成することができる。
【００８６】
図７は、医療撮像システム３００のさらなる図を示す。図７に示す例では、レーダセンサ１２５が被検体支持体１２０内又はその下にアレイ状に配置されている。さらに、１つまたは複数のカメラ３２２が、磁石１０４のボア１０６内の患者または被検者１１８を観察することができる。
【００８７】
図８は、前記合成運動信号を計算するための信号流のフローチャートを示す。当該動きは、カメラ３２２から受信したカメラ画像８００のストリングと、アレイ内の各センサ１２５のレーダ測定値８０２とを示す。次いで、これら信号は例えば、コンピュータ１２６又はレーダ信号及びビデオ解析のためのワークステーションによって処理される。この処理の結果は、動き信号、画像データ３４６又はビデオストリームである。レーダデータ１４４も生成される。ブロック８０４は、信号３４６および１４４が相関され、結合されることを示す。ブロック８０４の出力は、合成運動信号１４８である。図８では、両方の個々のシステムからの入力が分析されている。次に、改善されたトリガ信号が例えば、信号の相関を使用して生成されるか、又は一方のシステムの出力が、他方の装置の関心領域を設定するために使用され、かくして、全体的な信号品質が改善される。前記レーダ信号およびビデオ分析のためのワークステーションは、ＭＲボア内若しくはＭＲボアの近くにある、または患者ベッド内に一体化されたローカルＤＳＰ処理ユニットによって置き換えることもできる。
【００８８】
カメラのような光学センサの代替として、超音波システムを使用することもできる。バイタルサイン検出のためのドプラ超音波（ＤＵＳ）（超音波撮像システム）及び  （ＵＷＢ）レーダの両方が、このようなシステムの実現可能性を示す異なるグループによって提示された。超音波センサは音響信号を発生し、戻ってきた信号も検出する。ドプラ超音波（ＤＵＳ）は血流および心臓壁運動の観点から心臓の生理学的活動を反映し、従って、心臓周期をリアルタイムで直接監視する。さらに、トランスデューサの位置に応じて、ＤＵＳ信号は心周期の別個の時間に対応し、従来のＥＣＧよりも心臓トリガのためのより正確な情報を潜在的に提供する。両方の方法は同時に使用することができ、より良好なバイタルサイン記録およびトリガ信号を提供することができる。
【００８９】
例は、患者ベッド内または患者ベッドの下にある、または撮像マシンのＲＦコイルに一体化された、安価な（超広帯域）レーダセンサのアレイ、及び超音波検出システム（ＤＵＳ）を含むことができる。両方のシステムは、生データから呼吸および／または心臓信号を導出するコンピュータに接続される。ＤＵＳ及びレーダ部分に適したアルゴリズムが利用可能である。
【００９０】
両方の主体がバイタルサインデータを生成することができるが、これらの信号を組み合わせて、例えば、より良い信号対ノイズ比を導出することや、ステアリング目的に使用することができる。したがって、レーダアレイはＤＵＳシステムのための関心領域を提供することができ、該ＤＵＳシステムは相対的に小さい信号でより広い領域を監視する代わりに、可能な限り最良の出力または改善された出力を生成するために、臓器固有の動き（心臓、肺、肝臓）の検出のためにズームインすることができる。
【００９１】
超音波（ＵＳ）部分の場合、センサは、患者の皮膚との接触を提供するゲルパッドに一体化された、ＵＳセンサのローカルアレイと、ビデオストリームの特徴運動から呼吸信号を、またはビデオの患者の皮膚色変化から心臓信号を計算するソフトウェアアルゴリズムとからなる。
【００９２】
レーダアレイシステムは、好都合にはＵＳセンサに隣接して又は患者ベッド内もしくは患者ベッドの下に配置されるか、またはＲＦコイル内に一体化されて、患者の上半身の大きなカバレージを可能にすることができる。ＧＨｚ範囲の異なる周波数で動作するシステムが、超広帯域ソリューションと同様に実証されている。呼吸、臓器運動、または心臓信号は体内の反射から、または飛行時間測定から計算することができる。
【００９３】
改善された呼吸トリガを導出するために、当該システムは、以下のように動作することができる：
例  １：
−  両方のシステムは、超音波およびレーダ測定から導出された呼吸曲線およびトリガ点を提供する。
−  次いで、独立した測定値が相関され、改善されたトリガが生成される。
例２：
−  両方のシステムは、超音波およびレーダ測定から導出された呼吸曲線およびトリガ点を提供する。
−  空間的に分解されたレーダデータにおいて、最良のＳＮ比を持つ領域が決定され、座標が超音波システムに引き渡され、次いで、該システムが高ＳＮ比でバイタルサインを局所的に検出する。
【００９４】
ＲＦコイル内に配置されている場合、ＵＳセンサデータのデータ処理だけでなく電源も、すでにコイル内に存在するデジタルＲＸＥモジュールで処理することができる。
【００９５】
図９は、医療機器４００のさらなる図を示す。被検者１１８が被検者支持体１２０上に置かれた状態の上面図が示されている。レーダ素子１２５のアレイがある。この例では、レーダ素子１２５のそれぞれの上方および内部に位置する超音波トランスデューサ４２４がある。レーダセンサおよびＵＳセンサは、アレイ状に患者支持体内若しくはその下に配置されるか、またはＲＦコイル内に一体化される。
【００９６】
図１０は、合成運動信号１４８を形成するプロセスにおける信号の流れを示すフローチャートを示す。入力は、超音波トランスデューサごとに測定される超音波データ１０００である。また、入力は、レーダ要素１２５当たりのレーダ測定値である。これらは、次に、ローカルＤＳＰプロセッサまたはコンピュータ１２６に投入される。これの出力は、超音波データ４４６およびレーダ信号１４４である。次に、これらはブロック８０４で相関される。出力は、合成運動信号１４８である。両方の個々のシステムからの入力が分析される。次に、改善されたトリガ信号が例えば、信号の相関を使用して生成されるか、又は一方のシステムの出力が、他方の装置の関心領域を設定するために使用され、かくして、全体的な信号品質が改善される。レーダ信号および超音波の分析のためのワークステーションは、ＭＲボア内若しくはＭＲボアの近くの、または患者ベッド内に組み込まれたローカルＤＳＰ処理ユニットによって置き換えることもできる。
【００９７】
幾つかの例では、当該医療機器は検知されたＲＡＤＡＲ及び光学動き信号を受信するように適合されたディープラーニング機能を有する機械学習モジュールを更に含む。深層学習方法は、より低いレベルの特徴の合成によって形成される階層のより高いレベルの特徴により特徴階層を学習することを目的とする。それらは、隠れ層を有するニューラルネットワーク、および隠れ変数のレベルを有するグラフィカルモデルを含む、広範な深いアーキテクチャのための学習方法を含むことができる。
【００９８】
教師なし事前訓練は、深いアーキテクチャの学習をより効果的にする。このような事前訓練（プリトレーニング）は一種のネットワークプリコンディショナとして働き、さらなる教師ありレーニングのためにパラメータ値を適切な範囲に置き、経験的コスト関数のより低い最小値を達成するという意味で、最適化プロセスをより効果的にするパラメータ空間内の点にモデルを初期化する。
【００９９】
一例では、レーダ信号と光学信号とが同時に取得される。これにより、リアルタイム相関が可能になり、もう一方を使用した一方の信号の補正も可能になる。
【０１００】
一例では、レーダシステム及び動き検出システムの一方（好ましくはレーダ装置）は、空間的に何処に焦点を合わせるかの情報が送信されるように、光学システムに結合される。光学系は、コイルが配置されているか否かをチェックするための情報を追加的に生成することができる。
【０１０１】
１つの例では移動ベッド信号が両方のセンサによって同時に検出され、フィルタリングされ、相関されるが、特定の領域では信号のうちの１つだけで十分であり得る。
【０１０２】
一例ではレーダシステムおよび動き検出システムの一方が動き検出を送出し、他方は心臓信号を供給する。同時検出および相関は、心臓トリガ信号をノイズ除去するために使用され得る動きベクトル場を生成することを可能にする。
【０１０３】
別の例では内部臓器の動きはレーダから推定することができ、表面の動き（皮膚、布、コイルなど）はカメラなどの光学デバイスによって検出される。
【０１０４】
いくつかの例では、レーダ信号と動き信号との間の可能な相関メカニズムが以下のうちの１つまたは複数を含むことができる：
−  信号の類似性をチェックし、誤った肯定／否定を見つけるための、レーダと光学信号との相互相関；
−  両方のソースから生成されたトリガ曲線の乗算。信号が（時間的に）一致するとき、顕著な最大値および最小値を有する曲線を生じる。システム間の可能性のある遅延を測定するために使用することができる（各システムが対処している身体の領域に依存する）。
−  信号ゼロ化：  残りの信号が本質的にゼロになるように、信号と時間シフトの両方のスケーリングされたバージョンを減算する。これは、遅延測定にも使用することができる。遅延が分かると、ＳＮＲを改善するために、両方の信号は決定された時間シフトで加えることができる。
【０１０５】
本発明は図面および前述の説明において詳細に図示および説明されてきたが、そのような図示および説明は図例的または例示的であり、限定的ではないと考えられるべきであり、本発明は開示された実施形態に限定されない。
【０１０６】
開示された実施形態に対する他の変形は図面、開示、および添付の特許請求の範囲の検討から、特許請求された発明を実施する際に当業者によって理解され、実施されることができる。特許請求の範囲において、単語「有する」は他の要素又はステップを排除するものではなく、単数形は複数を排除するものではない。単一のプロセッサまたは他のユニットは、特許請求の範囲に列挙されるいくつかのアイテムの機能を満たすことができる。特定の手段が相互に異なる従属請求項に記載されているという単なる事実は、これらの手段の組み合わせが有利に使用されることができないことを示すものではない。コンピュータプログラムは他のハードウェアと一緒に、またはその一部として供給される光記憶媒体またはソリッドステート媒体などの適切な媒体上に記憶／配布することができるが、インターネットまたは他の有線もしくは無線電気通信システムなどを介して、他の形態で配布することもできる。特許請求の範囲におけるいかなる参照符号も、範囲を限定するものとして解釈されるべきではない。
【符号の説明】
【０１０７】
１００    医療機器
１０２    磁気共鳴撮像システム
１０４    磁石（マグネット）
１０６    磁石のボア
１０８    撮像ゾーン
１０９    関心領域
１１０    勾配磁場コイル
１１２    勾配磁場コイル電源
１１４    高周波コイル
１１６    トランシーバ
１１８    被検者
１２０    被検者支持体
１２１    支持面
１２２    動き検出システム
１２４    レーダシステム
１２５    レーダアレイ
１２６    コンピュータシステム
１２８    ハードウェアインターフェース
１３０    プロセッサ
１３２    ユーザインターフェース
１３４    コンピュータメモリ
１４０    機械実行可能命令
１４２    パルスシーケンスコマンド
１４４    レーダ信号
１４６    動き信号
１４８    合成運動信号
１５０    磁気共鳴撮像データ
１５２    磁気共鳴画像（ＭＲＩ）
１５４    機械学習アルゴリズム
２００    レーダ信号をレーダシステムから連続的に受信する
２０２    動き検出システムからの動き信号を連続的に受信する
２０４    レーダ信号と動き信号から合成運動信号を連続的に計算する
２０６    磁気共鳴撮像データを取得するためにパルスシーケンスコマンドにより磁気共鳴撮像システムを制御する
３００    医療機器
３２２    カメラ
３２４    遠隔制御可能なカメラマウント
３４６    画像データ
３５０    焦点位置
４００    医療撮像システム
４２２    超音波撮像システム
４２４    超音波トランスデューサ
４４６    超音波データ
５００    医療機器
５０２    放射線治療システム
５０６    ガントリ
５０８    放射線治療源
５１０    コリメータ
５１４    クライオスタット
５１６    超電導コイル
５１８    超電導シールドコイル
５２８    ボディコイル
５３７    機械式位置決め装置
５３８    ターゲットゾーン
５４０    ガントリ回転軸
５４２    放射線ビーム
５６０    放射線治療命令
６００    被検体のターゲットゾーンを照射するように放射線治療システムを制御するように構成された放射線治療命令を受信する
６０２    放射線治療命令と合成運動信号を使用して、標的ゾーンを照射するように放射線治療システムを制御する
８００    カメラ画像
８０２    レーダ測定
８０４    信号の相関および／または組み合わせ
１０００    超音波測定
【図１】
2021520251.tif 000003
【図２】
2021520251.tif 000004
【図３】
2021520251.tif 000005
【図４】
2021520251.tif 000006
【図５】
2021520251.tif 000007
【図６】
2021520251.tif 000008
【図７】
2021520251.tif 000009
【図８】
2021520251.tif 000010
【図９】
2021520251.tif 000011
【図１０】
2021520251.tif 000012
【国際調査報告】
2021520251.tif 000013
2021520251.tif 000014
2021520251.tif 000015